(57)【特許請求の範囲】
【請求項１】
サッカー用の手袋（ゴールキーパー用の手袋を除く）であって、
ＪＩＳ  Ｌ１０９６  ８．２６  Ａ法（フラジール形法）に基づいて測定される手の平部の生地の通気度は、２０ｃｍ３／ｃｍ２／ｓ以上であり、
前記手の平部の生地の１０％伸張時の戻り応力は、０．４Ｎ以下であることを特徴とする手袋。
【請求項２】
ＪＩＳ  Ｌ１０９６  ８．１８  Ａ法（ミューレン形法）に基づいて測定される前記手の平部の生地の破裂強さは、７００ｋＰａ以下である請求項１に記載の手袋。
【請求項３】
前記手の平部の生地の２０％伸張時の応力は、７Ｎ以下である請求項１または２に記載の手袋。
【請求項４】
前記手の平部の生地は、樹脂部材を有しており、
前記手の平部の生地における前記樹脂部材の被覆率は、５０％以下である請求項１〜３のいずれか一項に記載の手袋。
【請求項５】
前記樹脂部材の厚みは、３００μｍ以下である請求項４に記載の手袋。
【請求項６】
前記樹脂部材を構成する材料は、シリコーンを含んでいる請求項４または５に記載の手袋。
【請求項７】
前記手の平部の生地は、編地を有しており、
前記編地は、ベア天竺編組織で編成されている請求項１〜６のいずれか一項に記載の手袋。
【請求項８】
前記手の平部の生地を構成する繊維の平均繊度は、７８Ｄ以下である請求項１〜７のいずれか一項に記載の手袋。
【請求項９】
前記手の平部の生地を構成する材料は、ナイロンを５０％以上含んでいる請求項１〜８のいずれか一項に記載の手袋。
【請求項１０】
構成する生地全体の平均目付は、２００ｇ／ｍ２以下である請求項１〜９のいずれか一項に記載の手袋。
【発明の詳細な説明】
【技術分野】
【０００１】
本発明は、サッカー用であってゴールキーパー用を除く手袋に関する。
【背景技術】
【０００２】
従来、サッカーにおいて、ゴールキーパーの手とサッカーボールとが接触した際の衝撃を和らげることや、手とサッカーボールとの摩擦力を高めることを目的としたゴールキーパー用の手袋が知られている。
【０００３】
例えば、特許文献１には、内側手の外面を形成する、特に繊維支持材料上に設けた発泡ラテックスからなる内側手材料と、内側手材料の手のひら側の内面に設けた衝突を緩衝する付加的なクッションを備えたゴールキーパー用手袋において、スペーサ織物が付加的なクッションとしての働きをし、このスペーサ織物が三次元の織物構造体として形成され、面状の二つの被覆織物層が被覆織物層に対してほぼ垂直に向いた平行な織物糸の被覆織物層の間の領域によって離隔されていることを特徴とするゴールキーパー用手袋が記載されている。特許文献２には、着用者の手を覆う手袋本体部を含むスポーツ用手袋であって、手袋本体部は親指部、人差し指部、中指部、薬指部および小指部を覆う各指部分を含み、各指部分の先端部の掌側に滑り止め部材を設けたことを特徴とするスポーツ用手袋が記載されている。特許文献３には、積層保持基材を設けるステップと、発泡プラスチック材料の複数の個別の部分材料を前記保持基材の少なくとも１つの側面上に堆積させるステップと、製作された前記部分材料を有する前記保持基材を使用することによって少なくともスポーツ用手袋の一部分を製作するステップと、を含むことを特徴とするゴールキーパーの手袋の製作方法が記載されている。
【先行技術文献】
【特許文献】
【０００４】
【特許文献１】特開平９−２０６４１９号公報
【特許文献２】特開２００５−３５０８３３号公報
【特許文献３】特表２０１８−５２５５３７号公報
【発明の概要】
【発明が解決しようとする課題】
【０００５】
近年、サッカーの練習中において、ゴールキーパー以外のプレーヤーも手の保護等を目的として手袋を着用することがある。特許文献１〜３に示されている手袋では、ゴールキーパー以外のプレーヤーには適しておらず、サッカーのプレーの妨げとなってしまう。また、一般的なスポーツ用手袋は、ゴルフクラブ等の道具を握りやすくするためにグリップ性を高めることを目的としているものであり、生地が厚く、手袋の全面や多くの部分に滑り止め部材が設けられているため、サッカーのプレー時に用いると手の温度が上昇しやすく、不快感を与えてしまうという問題もあった。
【０００６】
そこで本発明は、手を保護することができて快適である、ゴールキーパー用を除くサッカー用の手袋を提供することを目的とする。
【課題を解決するための手段】
【０００７】
前記課題を解決することができた本発明の手袋は、サッカー用の手袋（ゴールキーパー用の手袋を除く）であって、ＪＩＳ  Ｌ１０９６  ８．２６  Ａ法（フラジール形法）に基づいて測定される手の平部の生地の通気度は、２０ｃｍ３／ｃｍ２／ｓ以上であり、手の平部の生地の１０％伸張時の戻り応力は、０．４Ｎ以下であることを特徴とするものである。
【０００８】
上記の手袋において、ＪＩＳ  Ｌ１０９６  ８．１８  Ａ法（ミューレン形法）に基づいて測定される手の平部の生地の破裂強さは、７００ｋＰａ以下であることが好ましい。
【０００９】
上記の手袋において、手の平部の生地の２０％伸張時の応力は、７Ｎ以下であることが好ましい。
【００１０】
上記の手袋において、手の平部の生地は、樹脂部材を有しており、手の平部の生地における樹脂部材の被覆率は、５０％以下であることが好ましい。
【００１１】
上記の手袋において、樹脂部材の厚みは、３００μｍ以下であることが好ましい。
【００１２】
上記の手袋において、樹脂部材を構成する材料は、シリコーンを含んでいることが好ましい。
【００１３】
上記の手袋において、手の平部の生地は、編地を有しており、編地は、ベア天竺編組織で編成されていることが好ましい。
【００１４】
上記の手袋において、手の平部の生地を構成する繊維の平均繊度は、７８Ｄ以下であることが好ましい。
【００１５】
上記の手袋において、手の平部の生地を構成する材料は、ナイロンを５０％以上含んでいることが好ましい。
【００１６】
上記の手袋において、構成する生地全体の平均目付は、２００ｇ／ｍ２以下であることが好ましい。
【発明の効果】
【００１７】
本発明の手袋によれば、ＪＩＳ  Ｌ１０９６  ８．２６  Ａ法（フラジール形法）に基づいて測定される手の平部の生地の通気度は２０ｃｍ３／ｃｍ２／ｓ以上であり、手の平部の生地の１０％伸張時の戻り応力は０．４Ｎ以下であることにより、サッカーの練習中等において手を保護しつつ、手袋の手の平部の生地が着用者の手の動きに十分追随し、また、手の平の温度が上昇しにくく、快適な着用感の手袋とすることができる。
【図面の簡単な説明】
【００１８】
【図１】本発明の実施の形態に係る手袋の手の平側の図を表す。
【図２】本発明の実施の形態に係る手袋の手の甲側の図を表す。
【発明を実施するための形態】
【００１９】
以下、本発明に係る手袋に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００２０】
本発明の手袋は、サッカーのゴールキーパー用の手袋を除く、サッカー用の手袋である。つまり、サッカーのプレー中、好ましくはサッカーの練習中において、ゴールキーパー以外の選手が着用するための手袋である。
【００２１】
図１は本発明の実施の形態に係る手袋１の手の平側の図を表し、図２は手袋１の手の甲側の図を表している。図１および図２に示すように、手袋１は、手袋１の着用者の手の平側に配置される手の平部の生地１０と、着用者の手の甲側に配置される手の甲部の生地２０とを有している。手の平部の生地１０は、手の平側に位置する生地であって、指部の生地は含まない。手の甲部の生地２０は、手の甲側に位置する生地であって、指部の生地は含まない。
【００２２】
手の平部の生地１０を構成する布地としては、編物、織物、不織布、またはこれらを組み合わせた布地等が挙げられる。手の甲部の生地２０を構成する布地としても、編物、織物、不織布、またはこれらを組み合わせた布地等が挙げられる。手の平部の生地１０または手の甲部の生地２０が複数の布地を組み合わせて構成されている場合、複数の布地を接合する方法としては、縫製、溶着、接着等が挙げられる。
【００２３】
中でも、手の平部の生地１０および手の甲部の生地２０を構成する布地は、編物であることが好ましい。手の平部の生地１０および手の甲部の生地２０を構成する布地が編物であることにより、手の平部の生地１０と手の甲部の生地２０の両方が伸縮性に優れたものとなって、手袋１が着用者の手に沿いやすく、動きに追従しやすくなる。
【００２４】
手袋１は、図１に示すように、全ての指をそれぞれ個別に覆うものであってもよく、親指のみ個別に覆って他の指をまとめて覆うミトン型の手袋であってもよい。手袋１の長さについては、手首までを覆う長さであってもよく、肘のあたりまで覆う長さであってもよい。中でも、手袋１は、各指をそれぞれ個別に覆い、手首までを覆う長さであることが好ましい。手袋１が各指をそれぞれ個別に覆い、手首までを覆う長さであることにより、サッカーのプレー中に指や腕を動かしやすく、また、手袋１の着脱が容易となる。
【００２５】
手袋１は、ＪＩＳ  Ｌ１０９６  ８．２６  Ａ法（フラジール形法）に基づいて測定される手の平部の生地１０の通気度は、２０ｃｍ３／ｃｍ２／ｓ以上であり、手の平部の生地１０の１０％伸張時の戻り応力は、０．４Ｎ以下である。手の平部の生地１０の通気度が２０ｃｍ３／ｃｍ２／ｓ以上であり、かつ、手の平部の生地１０の１０％伸張時の戻り応力が０．４Ｎ以下であることにより、手の平部の生地１０の通気性がよく、また、手の平部の生地１０が伸縮性に優れたものとなる。そのため、サッカーのプレー時に着用者の手を保護しながら、熱がこもりにくく指等を動かしやすい、快適な手袋１とすることができる。
【００２６】
手の平部の生地１０の通気度が２０ｃｍ３／ｃｍ２／ｓ以上であるとは、手の平部の生地１０において、通気度の平均値が２０ｃｍ３／ｃｍ２／ｓ以上となる、縦１０ｃｍ、横１０ｃｍの領域を３箇所有していることを示す。なお、手の平部の生地１０は、通気度の平均値が２０ｃｍ３／ｃｍ２／ｓ以上となる領域が３箇所存在すればよく、通気度の平均値が２０ｃｍ３／ｃｍ２／ｓ以上とならない領域が存在していてもよい。
【００２７】
手の平部の生地１０の通気度は、２０ｃｍ３／ｃｍ２／ｓ以上であればよいが、３０ｃｍ３／ｃｍ２／ｓ以上であることが好ましく、４０ｃｍ３／ｃｍ２／ｓ以上であることがより好ましく、５０ｃｍ３／ｃｍ２／ｓ以上であることがさらに好ましく、６０ｃｍ３／ｃｍ２／ｓ以上であることがよりさらに好ましく、７０ｃｍ３／ｃｍ２／ｓ以上であることが特に好ましい。手の平部の生地１０の通気度の下限値を上記の範囲に設定することにより、手袋１の着用者の手の平部に熱がこもりにくくなり、サッカーのプレー時における快適性を高めることができる。また、手の平部の生地１０の通気度の上限値は、例えば、３００ｃｍ３／ｃｍ２／ｓ以下、２５０ｃｍ３／ｃｍ２／ｓ以下、２００ｃｍ３／ｃｍ２／ｓ以下とすることができる。
【００２８】
手の平部の生地１０の１０％伸張時の戻り応力が０．４Ｎ以下であるとは、手の平部の生地１０において、１０％伸張時の戻り応力の平均値が０．４Ｎ以下となる、縦１０ｃｍ、横１０ｃｍの領域を３箇所有していることを示す。換言すると、３箇所の縦１０ｃｍ、横１０ｃｍの領域における１０％伸張時の戻り応力の平均値が０．４Ｎ以下となることを示す。なお、手の平部の生地１０は、１０％伸張時の戻り応力の平均値が０．４Ｎ以下となる領域が３箇所存在すればよく、１０％伸張時の戻り応力の平均値が０．４Ｎ以下とならない領域が存在していてもよい。
【００２９】
手の平部の生地１０の１０％伸張時の戻り応力は、０．４Ｎ以下であればよいが、０．３５Ｎ以下であることが好ましく、０．３Ｎ以下であることがより好ましく、０．２５Ｎ以下であることがさらに好ましく、０．２Ｎ以下であることがよりさらに好ましく、０．１５Ｎ以下であることが特に好ましい。手の平部の生地１０の１０％伸張時の戻り応力の上限値を上記の範囲に設定することにより、手袋１の着用者の手の動きに合わせて手の平部の生地１０が伸縮しやすくなる。そのため、サッカーのプレー時において、手袋１によって着用者の手を保護しつつ、手袋１が着用者の指等の動きの妨げとなりにくくなる。また、手の平部の生地１０の１０％伸張時の戻り応力の下限値は、例えば、０．０１Ｎ以上、０．０３Ｎ以上、０．０５Ｎ以上とすることができる。
【００３０】
ＪＩＳ  Ｌ１０９６  ８．１８  Ａ法（ミューレン形法）に基づいて測定される手の平部の生地１０の破裂強さは、７００ｋＰａ以下であることが好ましい。手の平部の生地１０の破裂強さが７００ｋＰａ以下であることにより、手の平部の生地１０の編目や織目が適度に広がり、手の平部の生地１０の通気性や伸縮性を高めることができる。
【００３１】
手の平部の生地１０の破裂強さは、７００ｋＰａ以下であることが好ましく、６７５ｋＰａ以下であることがより好ましく、６５０ｋＰａ以下であることがさらに好ましい。手の平部の生地１０の破裂強さの上限値を上記の範囲に設定することにより、手の平部の生地１０の編目や織目の大きさが適切なものとなり、手の平部の生地１０の通気性や伸縮性のよい手袋１とすることが可能となる。また、手の平部の生地１０の破裂強さは、４５０ｋＰａ以上であることが好ましく、５００ｋＰａ以上であることがより好ましく、５５０ｋＰａ以上であることがさらに好ましい。手の平部の生地１０の破裂強さの下限値を上記の範囲に設定することにより、手の平部の生地１０の強度が十分なものとなってサッカーのプレー時に手の平部の生地１０が破損しにくく、手袋１の耐久性を高めることができる。
【００３２】
手の平部の生地１０の２０％伸張時の応力は、７Ｎ以下であることが好ましい。手の平部の生地１０の２０％伸張時の応力が７Ｎ以下であることにより、手の平部の生地１０が伸張しやすくなる。そのため、手袋１が着用者の手の動きに追随しやすく、着用感のよい手袋１とすることが可能となる。
【００３３】
手の平部の生地１０の２０％伸張時の応力は、７Ｎ以下であることが好ましく、５Ｎ以下であることがより好ましく、３Ｎ以下であることがさらに好ましい。手の平部の生地１０の２０％伸張時の応力の上限値を上記の範囲に設定することにより、手の平部の生地１０を伸張させるために必要な力が小さくなり、より伸縮性に優れた手袋１とすることができる。また、手の平部の生地１０の２０％伸張時の応力の下限値は、０．０１Ｎ以上、０．０５Ｎ以上、０．１Ｎ以上とすることができる。
【００３４】
手の平部の生地１０は、樹脂部材３０を有しており、手の平部の生地１０における樹脂部材３０の被覆率は、５０％以下であることが好ましい。手の平部の生地１０が樹脂部材３０を有しており、樹脂部材３０の被覆率が５０％以下であることにより、樹脂部材３０によって手袋１の手の平部に滑り止めの効果を付与しながら、手の平部の生地１０の通気性を確保することができる。そのため、手袋１を着用した状態で物が把持しやすく、かつ、手袋１に熱がこもりにくくし、手袋１の着用感を向上させることが可能となる。
【００３５】
手の平部の生地１０における樹脂部材３０の被覆率を５０％以下とするためには、例えば、樹脂部材３０に貫通孔を設けることや、複数の樹脂部材３０を、間隙を有するように手の平部の生地１０へ配置すること等の方法が挙げられる。中でも、図１および図２に示すように、手の平部の生地１０へ複数の樹脂部材３０を、間隙を有するように配置することが好ましい。間隙を有するように複数の樹脂部材３０を手の平部の生地１０に配置することにより、手の平部の生地１０における樹脂部材３０の被覆率を調節することが容易となる。また、複数の樹脂部材３０の間に隙間があることより、手袋１の着脱時等において手の平部の生地１０を引っ張った際に、樹脂部材３０が破断しにくいという効果や、樹脂部材３０が手の平部の生地１０から剥離しにくいという効果も有している。
【００３６】
手の平部の生地１０における樹脂部材３０の被覆率は、５０％以下であることが好ましく、４５％以下であることがより好ましく、４０％以下であることがさらに好ましく、３５％以下であることがよりさらに好ましい。手の平部の生地１０における樹脂部材３０の被覆率の上限値を上記の範囲に設定することにより、手の平部の生地１０の通気を樹脂部材３０が妨げにくく通気性に優れ、着用感のよい手袋１とすることができる。また、手の平部の生地１０における樹脂部材３０の被覆率は、１０％以上であることが好ましく、１５％以上であることがより好ましく、２０％以上であることがさらに好ましい。手の平部の生地１０における樹脂部材３０の被覆率の下限値を上記の範囲に設定することにより、手の平部の生地１０での滑り止め効果を高めることができる。
【００３７】
樹脂部材３０の厚みは、３００μｍ以下であることが好ましい。樹脂部材３０の厚みの上限値を上記の値に設定することにより、手の平部の生地１０が柔軟となり、手袋１が手の動きに追従しやすくなって着用感を向上させることが可能となる。
【００３８】
樹脂部材３０の厚みは、３００μｍ以下であることが好ましく、２５０μｍ以下であることがより好ましく、２００μｍ以下であることがさらに好ましい。樹脂部材３０の厚みの上限値を上記の値に設定することにより、手の平部の生地１０の柔軟性をより高め、手袋１の着用者の手の動きに手袋１が追従しやすく、着用感のよい手袋１とすることができる。また、樹脂部材３０の厚みは、５０μｍ以上であることが好ましく、６０μｍ以上であることがより好ましく、７０μｍ以上であることがさらに好ましい。樹脂部材３０の厚みの下限値を上記の値に設定することにより、手の平部の生地１０に十分な滑り止め効果を付与することができる。
【００３９】
樹脂部材３０を構成する材料は、例えば、シリコーン系樹脂、ポリウレタン系樹脂、天然ゴム等の弾性体が挙げられる。中でも、樹脂部材３０を構成する材料は、シリコーンを含んでいることが好ましい。樹脂部材３０を構成する材料がシリコーンを含んでいることにより、樹脂部材３０が柔軟なものとなり、手袋１の着用者の手の動きに手袋１が十分追従することが可能となる。
【００４０】
手の平部の生地１０側から手袋１を見た場合における樹脂部材３０の形状は、円形、楕円形、多角形、またはこれらを組み合わせた形状等が挙げられる。樹脂部材３０が複数である場合、各樹脂部材３０の形状は、同じであってもよく、異なっていてもよい。また、樹脂部材３０が複数である場合、各樹脂部材３０の大きさも、同じであってもよく、異なっていてもよい。
【００４１】
中でも、樹脂部材３０が複数である場合、各樹脂部材３０の形状は同じであって、各樹脂部材３０の大きさは異なるものが含まれていることが好ましい。つまり、樹脂部材３０が複数である場合、各樹脂部材３０は相似形であることが好ましい。樹脂部材３０が複数である場合に、各樹脂部材３０が相似形であることにより、手の平部の生地１０において、滑り止め効果の強さや柔軟性の調節を行いやすくなる。具体的には、手の平部の生地１０での関節部分等の柔軟性が必要である部分には、他よりも大きさが小さい樹脂部材３０を配置することによって柔軟性を高めることができる。一方、手の平部の生地１０での指の付け根部分等、高い滑り止め効果が必要である部分には、他よりも大きさが大きい樹脂部材３０を配置することによって滑り止め効果を高めることができる。
【００４２】
手の平部の生地１０は、編地を有しており、編地は、ベア天竺組織で編成されていることが好ましい。手の平部の生地１０が有する編地がベア天竺組織で編成されていることにより、手の平部の生地１０の伸縮性が高まり、手袋１の着用者の手の動きに手の平部の生地１０が追従しやすく、手袋１のフィット感を向上させることが可能となる。
【００４３】
手の平部の生地１０を構成する繊維の平均繊度は、７８Ｄ以下であることが好ましい。手の平部の生地１０を構成する繊維の平均繊度が７８Ｄ以下であることにより、手の平部の生地１０の柔軟性が増し、手袋１が着用者の手の動きに沿いやすくなる。
【００４４】
手の平部の生地１０を構成する繊維の平均繊度は、７８Ｄ以下であることが好ましく、７０Ｄ以下であることがより好ましく、６５Ｄ以下であることがさらに好ましく、６０Ｄ以下であることがよりさらに好ましい。手の平部の生地１０を構成する繊維の平均繊度の上限値を上記の範囲に設定することにより、手の平部の生地１０の柔軟性を高めることができ、手袋１の着用感を向上させることができる。また、手の平部の生地１０を構成する繊維の平均繊度は、３０Ｄ以上であることが好ましく、４０Ｄ以上であることがより好ましく、５０Ｄ以上であることがさらに好ましい。手の平部の生地１０を構成する繊維の平均繊度の下限値を上記の範囲に設定することにより、手の平部の生地１０の強度を上げ、手袋１の耐久性を高めることが可能となる。
【００４５】
手の平部の生地１０を構成する材料は、ナイロン、ポリウレタン、ポリエステル等の合成繊維、綿、麻等の天然繊維等が挙げられる。中でも、手の平部の生地１０を構成する材料は、ナイロンを５０％以上含んでいることが好ましい。手の平部の生地１０を構成する材料がナイロンを５０％以上含んでいることにより、手の平部の生地１０が軽量であって柔軟性が高く、また、耐久性を高めることができる。
【００４６】
手の甲部の生地２０は、編地を有しており、編地は、ベア天竺組織で編成されていることが好ましい。手の甲部の生地２０が有する編地がベア天竺組織で編成されていることにより、手の甲部の生地２０の伸縮性も向上させることができる。その結果、手袋１が手の動きにより追従しやすく、手袋１の着用感を向上させることができる。
【００４７】
手の甲部の生地２０を構成する繊維の平均繊度は、７８Ｄ以下であることが好ましく、７０Ｄ以下であることがより好ましく、６５Ｄ以下であることがさらに好ましく、６０Ｄ以下であることがよりさらに好ましい。手の甲部の生地２０を構成する繊維の平均繊度の上限値を上記の範囲に設定することにより、手の甲部の生地２０が柔軟なものとなり、手袋１の着用者の手の動きに手の甲部の生地２０が追従しやすくなる。また、手の甲部の生地２０を構成する繊維の平均繊度は、３０Ｄ以上であることが好ましく、４０Ｄ以上であることがより好ましく、５０Ｄ以上であることがさらに好ましい。手の甲部の生地２０を構成する繊維の平均繊度の下限値を上記の範囲に設定することにより、手の甲部の生地２０の強度が高くなり、その結果、手袋１の耐久性を向上させることができる。
【００４８】
手の甲部の生地２０を構成する材料は、ナイロン、ポリウレタン、ポリエステル等の合成繊維、綿、麻等の天然繊維等が挙げられる。中でも、手の甲部の生地２０を構成する材料は、ナイロンを５０％以上含んでいることが好ましい。手の甲部の生地２０を構成する材料がナイロンを５０％以上含んでいることにより、手の甲部の生地２０の軽量性や柔軟性、耐久性をそれぞれ向上させることが可能となる。
【００４９】
手の平部の生地１０および手の甲部の生地２０を構成する材料は、ナイロンおよびポリウレタンを含んでいることが好ましい。手の平部の生地１０および手の甲部の生地２０を構成する材料は、ナイロンを５０％以上含んでいることが好ましく、６０％以上含んでいることがより好ましく、７０％以上含んでいることがさらに好ましく、８０％以上含んでいることがよりさらに好ましく、８５％以上含んでいることが特に好ましく、ポリウレタンを５％以上含んでいることが好ましく、７％以上含んでいることがより好ましく、１０％以上含んでいることがさらに好ましい。手の平部の生地１０および手の甲部の生地２０を構成する材料は、ナイロンおよびポリウレタンを含んでおり、ナイロンおよびポリウレタンの比率を上記の範囲に設定することにより、手の平部の生地１０および手の甲部の生地２０に接触冷感の効果を付与することができる。手の平部の生地１０および手の甲部の生地２０が接触冷感の効果を有していることにより、手袋１の着用者の手の平および手の甲に冷感を与えることができ、手袋１を着用した際の快適性を高めることができる。また、手袋１の着用時の冷感を強めるため、手袋１を水で濡らして使用してもよい。
【００５０】
手の甲部の生地２０は、樹脂部材３０を有していてもよいが、樹脂部材３０を有していないことが好ましい。手の甲部の生地２０が樹脂部材３０を有していないことにより、手の甲部の生地２０の通気性が高まり、手袋１の着用者の手の甲の温度が上昇しにくくなる。その結果、手全体において温度が上昇することが防ぎ、手袋１の着用時の快適性を向上させることができる。
【００５１】
手の平部の生地１０における樹脂部材３０の被覆率は、手の甲部の生地２０における樹脂部材３０の被覆率よりも高いことが好ましい。手の平部の生地１０における樹脂部材３０の被覆率が、手の甲部の生地２０における樹脂部材３０の被覆率よりも高いことにより、手の平部の滑り止め効果を手の甲部よりも高めることができる。手袋１の滑り止め効果は、手の甲部よりも手の平部の方が必要とされているため、手袋１の着用時に必要とされる滑り止め効果を付与しながら、手袋１全体において通気性を確保することが可能となる。
【００５２】
図１および図２に示すように、手の平部の生地１０と手の甲部の生地２０との間に、マチ部生地４０を有していてもよい。手の平部の生地１０と手の甲部の生地２０との間にマチ部生地４０を有していることにより、手袋１が立体的な構造となりやすい。そのため、手袋１の着脱が行いやすくなる。
【００５３】
マチ部生地４０は、編地を有しており、編地は、メッシュ組織で編成されていることが好ましい。マチ部生地４０が有する編地がメッシュ組織で編成されていることにより、手袋１の着用時に熱がこもりやすい、指と指との間の通気性を高めることができ、手袋１の着用時の快適性を向上させることが可能となる。
【００５４】
マチ部生地４０を構成する材料は、例えば、ナイロン、ポリウレタン、ポリエステル等の合成繊維、綿、麻等の天然繊維等が挙げられる。中でも、マチ部生地４０を構成する材料は、ポリエステルを５０％以上含んでいることが好ましい。マチ部生地４０を構成する材料がポリエステルを５０％以上含んでいることにより、マチ部生地４０の耐久性を高めることができる。
【００５５】
マチ部生地４０を構成する材料は、ポリエステルおよびポリウレタンを含んでいることが好ましい。マチ部生地４０を構成する材料は、ポリエステルを５０％以上含んでいることが好ましく、６０％以上含んでいることがより好ましく、７０％以上含んでいることがさらに好ましく、８０％以上含んでいることがよりさらに好ましく、８５％以上含んでいることが特に好ましく、ポリウレタンを１０％以上含んでいることが好ましく、１２％以上含んでいることがより好ましく、１５％以上含んでいることがさらに好ましい。マチ部生地４０を構成する材料は、ポリエステルおよびポリウレタンを含んでおり、ポリエステルおよびポリウレタンの比率を上記の範囲に設定することにより、マチ部生地４０の強度を高めることが可能となる。
【００５６】
手袋１を構成する生地全体の平均目付は、２００ｇ／ｍ２以下であることが好ましい。手袋１を構成する生地全体の平均目付が２００ｇ／ｍ２以下であることにより、手袋１の軽量化を図ることができ、手袋１の着用感を向上させることができる。
【００５７】
手袋１を構成する生地全体の平均目付は、２００ｇ／ｍ２以下であることが好ましく、１９０ｇ／ｍ２以下であることがより好ましく、１８０ｇ／ｍ２以下であることがさらに好ましい。手袋１を構成する生地全体の平均目付の上限値を上記の範囲に設定することにより、手袋１を軽量なものとすることができる。また、手袋１を構成する生地全体の平均目付は、１００ｇ／ｍ２以上であることが好ましく、１１０ｇ／ｍ２以上であることがより好ましく、１２０ｇ／ｍ２以上であることがさらに好ましい。手袋１を構成する生地全体の平均目付の下限値を上記の範囲に設定することにより、手袋１を構成する生地に十分な強度を付与することができ、手袋１を破損しにくくして耐久性を高めることができる。
【００５８】
以上のことより、本発明の手袋は、サッカー用の手袋（ゴールキーパー用の手袋を除く）であって、ＪＩＳ  Ｌ１０９６  ８．２６  Ａ法（フラジール形法）に基づいて測定される手の平部の生地の通気度は、２０ｃｍ３／ｃｍ２／ｓ以上であり、手の平部の生地の１０％伸張時の戻り応力は、０．４Ｎ以下であることを特徴とする。手袋がこのような構成であることにより、サッカーの練習中等において手を保護しつつ、手袋の手の平部の生地が着用者の手の動きに十分追随し、また、手の平の温度が上昇しにくく、快適な着用感の手袋とすることができる。
【符号の説明】
【００５９】
１：手袋
１０：手の平部の生地
２０：手の甲部の生地
３０：樹脂部材
４０：マチ部生地
【要約】
【課題】手を保護することができて快適である、ゴールキーパー用を除くサッカー用の手袋を提供する。
【解決手段】サッカー用の手袋１（ゴールキーパー用の手袋を除く）であって、ＪＩＳ  Ｌ１０９６  ８．２６  Ａ法（フラジール形法）に基づいて測定される手の平部の生地１０の通気度は、２０ｃｍ３／ｃｍ２／ｓ以上であり、手の平部の生地１０の１０％伸張時の戻り応力は、０．４Ｎ以下である。
【選択図】図１【図１】
0006870134.tif 000002
【図２】
0006870134.tif 000003